(57)【要約】【課題】構造が簡単で使用に際して設置除去操作が簡単なゴルフ用アドレス設定具を提供する。【解決手段】プレーヤーに対してボールの設置位置の方向を示す長尺状のボール位置指示体２と、ボールの設置位置からボールの打出方向を示す長尺状の打出方向指示体１とを有し、ボール位置指示体２の端部と打出方向指示体１の端部とに、これら指示体１，２どうしを直交させた状態で固定する連結固定部９を備えた。【選択図】図２
2008080077.tif 000002
【特許請求の範囲】
【請求項１】
プレーヤーに対してボールの設置位置の方向を示す長尺状のボール位置指示体と、前記ボールの設置位置からボールの打出方向を示す長尺状の打出方向指示体とを有し、
前記ボール位置指示体の端部と前記打出方向指示体の端部とに、これら指示体どうしを直交させた状態で固定する連結固定部を備えたゴルフ用アドレス設定具。
【請求項２】
前記連結固定部がヒンジ部を備えた請求項１に記載のゴルフ用アドレス設定具。
【請求項３】
前記ボール位置指示体と前記打出方向指示体とが着脱可能である請求項１に記載のゴルフ用アドレス設定具。
【請求項４】
前記ボール位置指示体および前記打出方向指示体のうち少なくとも何れか一方を、自身の長手方向に沿って伸縮自在に構成した請求項１〜３の何れか一項に記載のゴルフ用アドレス設定具。
【請求項５】
前記打出方向指示体の両端部のうち前記連結固定部とは反対側の端部に打出指標設置手段を備えた請求項１〜４の何れか一項に記載のゴルフ用アドレス設定具。
【請求項６】
前記打出指標設置手段が、前記打出方向指示体に設けた貫通孔である請求項５に記載のゴルフ用アドレス設定具。
【請求項７】
前記打出指標設置手段が、前記打出方向指示体に設けた粉体散布具である請求項５に記載のゴルフ用アドレス設定具。
【請求項８】
前記ボール位置指示体および前記打出方向指示体のうち少なくとも何れか一方に対し、前記連結固定部の近傍に持上部を備えた請求項１〜７の何れか一項に記載のゴルフ用アドレス設定具。
【発明の詳細な説明】
【技術分野】
【０００１】  本発明は、ゴルフコースでプレーするにあたり、目標とする飛球線上に対してクラブフェースが直角にセット出来る。
また、スタンスを含む体の線が飛球方向に対し平行にセットでき、スタンスに対してのボール位置が明確に認識出来るものである。
【背景技術】
【０００２】  一般ゴルファーは、ゴルフコースにおいては練習場のように正方形または長方形で囲まれたボールマットやスタンスマットが無いためにアドレスの際、クラブフェースではなくスタンスまたは両肩や両腰を結ぶ線を狙った目標へ向けてしまう傾向が強く働く。そのために、クラブフェースが狙っている方向とは違う方向を向くと同時に当然ながらボール位置にも狂いが生じている事となる。【０００３】  従来からスタンス矯正具、ゴルフボール飛球方向指示具等の考案されているものがあるが、クラブフェース、スタンスまたはボール位置確認のために、実際コース上での使用となると本器具に比べると嵩張りがあるため、他のプレーヤーから見られていることに違和感を持つことと思われる。それから、コンパクト性に欠ける為スイングを行う際、矯正具を簡単に取り除くことも困難に思われる。もしも、スイングをするにあたり矯正具を取り除けたとしても、スイングの邪魔にならない場所へ移動させるには面倒な作業を有すると思われる矯正具が目立つ。
【発明の開示】
【発明が解決しようとする課題】
【０００４】  レッスン書等によく記載されている事であるが、ボールから飛球線上近くに目印となる枯れ草、小石等の自身が識別出来るスパットを見つけ、それに向けクラブフェースを合わせてアドレスに入れば、狙った目標に対して平行に体の線を合わせられる等と書かれているのを目にするが、実際プレーヤーの多くはスタンス位置を決める際、ボール位置を示す架空のラインが不明確なままにアドレスに入ろうとする。この時に体の線を目標に対して右や左方向に向けてしまう傾向が生じる。【０００５】  一般ゴルファーが練習場において行っている目標に対するスタンスの向きやボール位置セッティングはコース場では困難を有し、間違ったアライメントを継続する事でプレーヤー自身のスイングに悪い癖をつけてしまっている事がよくある。【０００６】  昨今、女子プロゴルフトーナメントのテレビ中継を見ていると、プレーヤーがアドレスに入りスイングを始める直前まで飛球線後方にキャディーを立たせて、狙った方向に体が向けているかを確認するプロが目立つ。やはりプロであってもスタンスや体の向きに狂いが生じたままだと自分のスイングに悪い影響が及ぶことをプレーヤー自身が知っているからである。
そこで、本発明は上記実状に鑑み、構造が簡単で使用に際して設置除去操作が簡単なゴルフ用アドレス設定具を提供することを目的としている。
【課題を解決するための手段】
【０００７】（特徴構成１）
本発明に係るゴルフ用アドレス設定具の特徴構成は、プレーヤーに対してボールの設置位置の方向を示す長尺状のボール位置指示体と、前記ボールの設置位置からボールの打出方向を示す長尺状の打出方向指示体とを有し、前記ボール位置指示体の端部と前記打出方向指示体の端部とに、これら指示体どうしを直交させた状態で固定する連結固定部を備えた点にある。【０００８】（作用効果）
本構成であれば、ボールに対して打出方向指示体を目標とする飛球方向に向けて置いた際、ボール位置指示体が打出方向指示体と直角の関係になる。よって、ボールの打出方向に対してクラブフェースを正確に設定することができ、スタンスの向きやアドレスの位置を確実に把握することができる。
また、打出方向指示体とボール位置指示体とを直交させた状態で固定する連結固定部を備えているから、通常は、両者をコンパクトな姿勢に保持しておき、使用時にのみ所定の姿勢に設定することができるため、不使用時の収納が容易である。【０００９】（特徴構成２）
本発明に係るゴルフ用アドレス設定具は、前記連結固定部にヒンジ部を備えて構成することができる。【００１０】（作用効果）
本構成であれば、不使用時は、ボール位置指示体と打出方向指示体とを折り畳んだ姿勢にできるため、持ち運び及び収容が容易なアドレス設定具を提供することができる。
また、ヒンジ部を用いることで、非常に簡便な構成でありながら、双方の部材の直角度を正確に再現することも可能である。【００１１】（特徴構成３）
本発明に係るゴルフ用アドレス設定具は、前記ボール位置指示体と前記打出方向指示体とを着脱可能に構成することができる。【００１２】（作用効果）
本構成によっても、不使用時には、両指示体を分割して収納することができるため、持ち運び・収納に便利なアドレス設定具を得ることができる。【００１３】（特徴構成４）
本発明に係るゴルフ用アドレス設定具は、前記ボール位置指示体および前記打出方向指示体のうち少なくとも何れか一方を、自身の長手方向に沿って伸縮自在に構成することができる。【００１４】（作用効果）
本構成であれば、ボールの打ち出し方向およびプレーヤーのアドレス位置からボールの設置位置までの方向を、用いるクラブの長さ、或いは、プレーヤーの体格等に合わせて適宜変更することができる。よって、あらゆる状態のショットに対応可能なアドレス設定具を得ることができる。【００１５】（特徴構成５）
本発明に係るゴルフ用アドレス設定具は、前記打出方向指示体の両端部のうち前記連結固定部とは反対側の端部に打出指標設置手段を備えて構成することができる。【００１６】（作用効果）
当該アドレス設定具は、アドレスを設定したのち実際にショットする際には、打ち出したボールが衝突するのを防止するために、ボールの前から除去して用いることが多い。よって、本構成のように、アドレス設定具を除去した後もボールの打ち出し方向が指標として残る構成にすることで、より正確なショットを行うことができる。【００１７】（特徴構成６）
本発明に係るゴルフ用アドレス設定具においては、前記打出指標設置手段として、前記打出方向指示体に貫通孔を設けて構成することができる。【００１８】（作用効果）
本構成のように貫通孔を設けておけば、アドレス設定具を地面に設置した後で当該貫通孔に、例えば各種コインやマーカーを入れることができる。そして、ショットに際して当該アドレス設定具を除去する際には、前記コイン等がそのまま地面に残るから、より正確なショットを行うことができる。【００１９】（特徴構成７）
本発明に係るゴルフ用アドレス設定具においては、前記打出指標設置手段として、前記打出方向指示体に粉体散布具を設けて構成することができる。【００２０】（作用効果）
本構成のように打出指標として粉体によるマーキングを行うこととしてもボールの打ち出し方向を正確に把握することができる。【００２１】（特徴構成８）
本発明に係るゴルフ用アドレス設定具は、前記ボール位置指示体および前記打出方向指示体のうち少なくとも何れか一方に対し、前記連結固定部の近傍に持上部を備えて構成することができる。【００２２】（作用効果）
本構成のように持上部を備えておけば、アドレスが完了した後、クラブ等を用いて当該アドレス設定具を容易に除去することができる。よって、アドレスの決定動作からボールの打ち出しまでを迅速に行うことができ、他のプレーヤーに迷惑を掛けることなくプレーを行うことができる。
【発明を実施するための最良の形態】
【００２３】  次に図面に基に本発明の実施の形態を詳細に説明する。【００２４】  図１は本発明品の使用前の状態であり、折り畳まれている時の斜視図である。また、図２は折り畳まれた状態から使用するにあたり打出方向指示体１とボール位置指示体２とを直角に開き、各指示体１，２から延長体７，８を伸張させてゴルフボールをセットした時の平面図である。各指示体１，２の交わる所にボール位置指示マーカー６が表示してあり、そこにボールをセットする。
打出方向指示体１の上部には、ショットする時に本器具を取り除くためのピックアップリング３が取り付けてある。指示体開閉部４には、打出方向指示体とボール位置指示体とを繋ぎ合わせ、また開閉させるための手段としてヒンジ部５を設けてある。図３にはヒンジ部５の取付箇所を裏側から見た様子を示す。これら打出方向指示体１、および、ボール位置指示体２、ヒンジ部５は、例えば樹脂材料によって形成する。ヒンジ部５は、接着剤およびビス５ａを用いて、打出方向指示体１およびボール位置指示体２に固定する。【００２５】  前記ヒンジ部５には、打出方向指示体１およびボール位置指示体２を直角な状態で保持する連結固定部９を設けてある。当該連結固定部９は、例えばマジックテープ９ａ，９ｂを用いる。当該連結固定部９は、図４に示すとおりヒンジ部５の反対側、つまりボール位置指示マーカーの側に設けてある。使用時には打出方向指示体１とボール位置指示体２とを図２のように展開し、両指示体１，２を付き合わせた状態で、前記マジックテープ９ｂによって両者を固定する。【００２６】  各指示体からの延長体の伸張および収納手段として、図２の裏側から見たものを図７に示す。各指示体１，２の切込みによるスライド部４０に図８の延長体ストッパ４３が挿入される。延長体ストッパ４３は軟らかい樹脂で出来ており、指示体のスライド部両端４１ａ、４１ｂのわずかに絞り込まれている部分で固定される。【００２７】  延長体７，８の伸張・収納および固定に係る他の構成を図９に示す。
各指示体１，２から伸張した延長体７，８は以下のように固定される。スライドして来た延長体７，８の後方に加工されたストッパ５０ａが、指示体１，２の先端部に加工されているストッパ５０にあたって止まり、同時に固定具５３ａは指示体１，２の側のテンション発生溝５５から生じる固定具５２ａのたわみを利用して、固定具５２ａの丸型突起部を乗り越え、固定具５２ａと５３ａがそれぞれ係合される。
一方、延長体７，８の収納は以下のように行われる。
各指示体１，２の指示体係合部の近傍にも図９に示すとおり、ストッパ６０ならびにテンション発生溝５５と固定具５２ｂとが加工されている。延長体７，８の後方部にはストッパ６０ａ、固定具５３ｂが加工されており、収納に際しスライドしてきた固定具５３ｂは、テンション発生溝５５から生じる固定具５２ｂのたわみを利用して、固定具５２ｂの丸型突起部を乗り越え、固定具５２ｂと５３ｂとが互いに係合し、ストッパ６０ａが指示体１，２の側のストッパ６０と係合して固定される。【００２８】  本器具を実際のゴルフコースで使用するにあたり、使用手順を図面を使って説明する。図１に示したコンパクトに折り畳まれた状態から、指示体開閉部４を中心に打出方向指示体１とボール位置指示体２とを直角に広げ、連結固定部９を用いて固定する。図２のように各指示体１，２から延長体７，８をそれぞれ伸張させ、固定した後、ボール位置指示マーカー６がボールに向くよう本器具を地面に置き、打出方向指示体１から延びる延長体７の先端部を目標方向に向けてセットする。【００２９】  飛球線の後方から打出方向指示体１および延長体７が目標を向いているかを確認し、図１２のように延長体７の先端部に形成した貫通孔３８即ちスパットホールにコインやマーカー等のスパットを入れる。【００３０】  打出方向指示体１から伸びる延長体７の先端矢印にクラブフェースを向けると同時にボール位置指示体２によってボール位置を確認しアドレスに入る。【００３１】  アドレスに入り、スタンスの位置をそのまま維持しながら、クラブヘッドを、持上部すなわちピックアップリングの中に差し込んで本器具を地上から若干浮かせ、ボール上を通過させて、右足かかと外側方向へ移動させて取り除く。
当該ピックアップリングの取付位置は、当該アドレス設定具の重心よりもボールの側に設けるのが好ましい。そのように構成することで、ピックアップリングを持ち上げる際には、打出方向指示体１およびボール位置指示体２の自由側端部が地面に付いたまま連結固定部９の側が浮き上がる。よって、アドレス設定具がボールに当たるのを防止でき、除去作業を迅速且つ確実に行うことができる。【００３２】  本器具を取り除いた後には、予めスパットホールに入れておいたコインやマーカー等のスパットが打出方向線上に残存するため（図１３参照）目標方向に対して正しくクラブフェースを向けることができる。また事前に固定してあるスタンスに対して飛球線上から垂直に伸びるボール位置が確認できる。【００３３】  スイングする際、飛球線上に置かれているスパットの上を打球が通過するようイメージすることで、ヘッドアップなどのミスが減り、目標に対してスクエアなアドレスを構築することが出来る。
【発明の効果】
【００３４】  本器具は軽量かつコンパクトに作られているので嵩張りがなく、ゴルフコースで使用するにあたりキャディーバックやゴルフカートの小物入れ等に容易に収納することができる。
極めて簡単な構造のため安価に製造することが出来る。
使用者が誤って本器具を打つことが無い。
また本器具の使用にあたり、準備する段階からショットを終了するまでの間他のプレーヤーに迷惑をかけることの無い時間内で実施することが出来る。
【００３５】〔別実施形態〕
＜１＞
前記連結固定部９としては、前記マジックテープ９ａ，９ｂに替えて磁石を用いることもできる。例えば、前記９ａ，９ｂのうちの何れか一方をマグネットとし、他方を磁性を有する金属板で構成する。
【００３６】＜２＞
打出方向指示体１とボール位置指示体２とを繋ぎ合わせる連結固定部の他の構成を図５に示す。図５の▲１▼は各指示体が折り畳まれた状態を示している。▲２▼は各指示体を９０度に開いた図であり、打出方向指示体側に取り付けられた中心軸が、ボール位置指示体の円柱空洞内部を回転して開かれている。また軸回転によって接触する１８ａと１８ｂならびに１９ａと１９ｂは円形と平面形により作られているので、開閉の際摩擦が生じないよう工夫されている。
▲３▼は１８０度に開かれた状態を示す。平面正対部分２２ａと２２ｂが向かい合い、２２ａ上部に突起する止め具２３によって各指示体が１８０度に開かれる。
【００３７】＜３＞
打出方向指示体１とボール位置指示体２とを繋ぎ合わせる連結固定部の他の構成として、図６に示すように嵌合式の構造としても良い。
即ち、打出方向指示体１およびボール位置指示体２のうちの一方に、差込の為の雄部材を形成し、他方に雌部材を形成しておく。雄部材には、弾性を有する二本の腕部を設けておき、雌部材の内部に挿入された後、雌部材に形成した窓部と係合して両指示体の抜け出しを防止する。
尚、未使用時には前記打出方向指示体１および前記ボール位置指示体２は、マジックテープ、あるいは、磁石、凸凹による嵌込み具等によって互いに一体化できるように構成しておく。
【００３８】＜４＞
延長体７，８の伸張・収納および固定に係る別の構成として、打出方向指示体１またはボール位置指示体２と延長体７，８とを、常時はそれぞれが分離した別体としておき、使用時に互いに嵌合させる構成としても良い。
【００３９】＜５＞
延長体７，８の伸張・収納および固定における他の構成として、本器具使用後に延長体７，８を収納するにあたり、各指示体１，２との接点部位から指示体の裏面または指示体の側面部に向かって折れ曲がって延長体が収納されるように構成しても良い。伸張の際には、折れ曲がり部位を支点に指示体１，２に対して延長体７，８が一直線状に伸びることとなる。
【００４０】＜６＞
図１０はピックアップリング３およびピックアップリング３を打出方向指示体１に取り付けられた図で、連結固定部９寄りのリング固定部１０ａとスパットホール寄りのリング固定部１１ａを示す。固定部１１ａは実施形態７を除き、打出方向指示体１の上版裏側に取り付けられている。このため、スパットホール延長体のスライド動作に支障をきたさないよう、薄い樹脂板を打出方向指示体１のスライド部に合わせた長さで、固定部１１ａの下側に貼り付けてある。
【００４１】＜７＞
ピックアップリングの取付構造としては以下のものであっても良い。即ち、クラブヘッドをピックアップリングに差し込んで当該器具を移動させる際に、当該器具の重さに耐えられる薄型の強力磁石を打出方向指示体１の上部に埋め込む形で取り付ける。また、ピックアップリングの両端１０、１１の裏側の接触部位にも同型の磁石を取り付け、磁力の引き合う力を利用してピックアップリングを固定させる。この手段をボール位置指示体２の側にも備えることで、左利きのプレーヤーの使用が可能となる。
【００４２】＜８＞
ピックアップリングの取付構造としては、さらに以下のように構成しても良い。
即ち、スナップによる固定および取り外しを行う。ピックアップリングの両端１０，１１にはスナップジョイントの凹み部が取り付けられ、打出方向指示体１の側にはスナップジョイントの凸部を取り付けて固定されている。これにより、ピックアップリングの取付け・取外しを容易に行うことができる。この手段をボール位置指示体２にも用いることで、左利きプレーヤーの使用が可能となる。
【００４３】＜９＞
ピックアップリングの取付構造としては、さらに以下の構造であっても良い。
図１１に示すとおり、指示体の上部に、複数の溝と一部の凹み部で作られた円形の樹脂製突起部材１５を固定する。ピックアップリングの両端部１０，１１にはキャップ式固定具１６が取り付けてある。キャップ式固定具１６は、蓋を被せる要領で樹脂性突起部材１５に固定させる。キャップ式固定具１６は樹脂製とし、固定具１５に被せ入れた際、固定具１５の周囲に形成した凹部に、キャップ式固定具１６の内面に形成した凸部が係合して両者が固定される。
【００４４】＜１０＞
前記打出指標設置手段としては、図示は省略するが、前記打出方向指示体１に粉体散布具を設けてもよい。例えば、上方からクラブで軽く叩くと変形する部材で構成した粉体保持体を打出方向指示体１の延長体７に設けておく。当該保持体の内部には例えば石灰粉を入れる。さらに、当該保持体の底面には石灰粉が通過可能な適当な大きさの孔を複数設けておく。
アドレスが終了したのち、前記保持体を軽く叩くことで、地面に石灰粉によるマーキングを行うことができ、正確なショットが可能となる。本構成の場合、ショットの後、マーカーを拾う必要がないため、さらにアドレス設定動作が容易となる。
【図面の簡単な説明】
【図１】本発明のゴルフ用アドレス設定具の使用前状態を示す斜視図
【図２】本発明のゴルフ用アドレス設定具の使用状態を示す平面図
【図３】連結固定部の詳細を示す図
【図４】連結固定部の固定具の構造を示す斜視図
【図５】別実施形態に係る連結固定部を示す斜視図
【図６】別実施形態に係る連結固定部を示す斜視図
【図７】延長体の構成を示す平面図
【図８】延長体の外観を示す斜視図
【図９】延長体の固定構造を示す斜視図
【図１０】持上部の構造を示す斜視図
【図１１】持上部の固定構造の詳細を示す斜視図
【図１２】貫通孔の用い方を示す説明図
【図１３】本器具の除去後に残存するマーカーを示す図
【符号の説明】
１              打出方向指示体
２              ボール位置指示体
３              持上部（ピックアップリング）
４              指示体開閉部
５              ヒンジ部
５ａ            ビス
６              ボール位置指示マーカー
７，８          延長体
９              連結固定部
９ａ，９ｂ      マジックテープ
１０，１１      ピックアップリング両端
３８            貫通孔（スパットホール）
４０            スライド部
４１ａ，４１ｂ  スライド部両端
４３            延長体ストッパ
【図１】
2008080077.tif 000003
【図２】
2008080077.tif 000004
【図３】
2008080077.tif 000005
【図４】
2008080077.tif 000006
【図５】
2008080077.tif 000007
【図６】
2008080077.tif 000008
【図７】
2008080077.tif 000009
【図８】
2008080077.tif 000010
【図９】
2008080077.tif 000011
【図１０】
2008080077.tif 000012
【図１１】
2008080077.tif 000013
【図１２】
2008080077.tif 000014
【図１３】
2008080077.tif 000015